(57)【要約】【課題】ブラジャーを洗濯機において洗濯する際の、型崩れ防止、摩擦やねじれによる損傷防止等の効果を有する洗濯ネットを提供すること。【解決手段】ブラジャー用洗濯ネットであって、該洗濯ネットは、二つの半球状ネット体が円周縁に設けられ一箇所の連結部で連結されものであり、それぞれの半球状ネット体には、その円周縁の連結部を開閉口端とするファスナーが取付けられており、該ファスナーを閉じることによって、前記半球状ネット体が合体して球状ネット体を形成できるようになっており、かつ、それぞれの該半球状ネット体には、それをほぼ二分し半球状の形態を維持するための弓形又は半リング状のはり部材が、前記連結部を起点とした位置に設けられており、更に、それぞれの該半球状ネット体の内部には、ブラジャーを挟み込み固定するためのベルトが装着されている洗濯ネット。【選択図】図３
2011036487.tif 000002
【特許請求の範囲】
【請求項１】
ブラジャー用洗濯ネットであって、該洗濯ネットは、二つの半球状ネット体が円周縁に設けられ一箇所の連結部で連結されものであり、それぞれの半球状ネット体には、その円周縁の連結部を開閉口端とするファスナーが取付けられており、該ファスナーを閉じることによって、前記半球状ネット体が合体して球状ネット体を形成できるようになっており、かつ、それぞれの該半球状ネット体には、それをほぼ二分し半球状の形態を維持するための弓形又は半リング状のはり部材が、前記連結部を起点とした位置に設けられており、更に、それぞれの該半球状ネット体の内部には、ブラジャーを挟み込み固定するためのベルトが装着されていることを特徴とするブラジャー用洗濯ネット。
【請求項２】
弓形又は半リング状のはり部材が、浮きとしての性質を有する部材から構成されていることを特徴とする請求項１記載のブラジャー用洗濯ネット。
【請求項３】
ベルトが、ネット部材から構成されていることを特徴とする請求項１記載のブラジャー用洗濯ネット。
【請求項４】
半球状ネット体の円周縁に、ほぼ円形の円周形態を保持するための支持部材が配置されていることを特徴とする請求項１記載のブラジャー用洗濯ネット。
【請求項５】
ファスナーの閉口端に、ファスナーのスライダーの収納部が設けられていることを特徴とする請求項１記載のブラジャー用洗濯ネット。
【発明の詳細な説明】
【技術分野】
【０００１】
本発明は、ブラジャーを洗濯機によって洗濯する場合に、洗濯槽や他の衣類との摺擦、あるいは、洗濯物同士の絡み合いからブラジャーを保護し、損傷や型くずれを防止するために用いられる洗濯ネットに関する。
【背景技術】
【０００２】
ブラジャー、ストッキング、肌着などの比較的弱い生地からなる衣類や、レースが施された衣類などを洗濯機で洗濯する場合、洗濯槽や他の衣類との摺擦から前記洗濯物を保護し、あるいは、他の洗濯物と絡み合って引っ張られることによる損傷などを防止するための洗濯ネットは広く普及している。従来からある洗濯ネットとしては、単に袋状に形成されたネット地に洗濯物を出し入れするための開口部を備え、当該開口部を開閉するためのファスナーが設けられただけのものが多く、かかる洗濯ネットの場合、内部で洗濯物が片寄り密着してしまい、洗剤やすすぎ水が洗濯物全体に到達しにくい部分ができ、洗浄やすすぎ効果が阻害されたりすることが多かった。また、ブラジャー等は従来の洗濯ネットで洗濯すると他の洗濯物と絡まりやすく、その結果、型崩れし易いという問題があった。
【０００３】
前記のような問題点に対し、洗濯ネットに複数の線状の保形部材を組合わせ、洗濯時に立体形状を保つようにした洗濯ネットや、洗濯ネットの内部にある洗濯物の偏りを防止する洗濯ネットも考案されている（例えば、特許文献１と２）。特に、ブラジャーの場合には、カップの形状の保護という点も考慮したものが提案されている。例えば、特許文献３では、市販されている洗濯ネットに、プラスチック枠を設け、固定させた洗濯ネットが提案されており、ブラジャーを二つ折りにして中に入れて用いるものである。また、特許文献４には、外ネット袋と内ネット袋との間にスポンジ体を介在させて３層構造としたブラウスやブラジャー等の洗濯用衣類ネット袋が提案されている。しかしながら、これらの洗濯ネットでは、ブラジャー自体が固定されていないので、洗濯時の片寄りや型崩れ防止が必ずしも十分ではない。
【先行技術文献】
【特許文献】
【０００４】
【特許文献１】特開２０００−２５４３８６号公報
【特許文献２】特開２００５−１５２０８８号公報
【特許文献３】実開平６−８５６８７号公報
【特許文献４】登録実用新案第３０６６６３６号
【発明の概要】
【発明が解決しようとする課題】
【０００５】
本発明の課題は、ブラジャーを洗濯機において洗濯するに際し用いられる、型崩れを防止し、摩擦やねじれによる損傷を防ぐと共に、洗浄やすすぎも阻害されることがなく、更には、不使用時にはコンパクトに折り畳むことができる保護袋、即ち、洗濯ネットを提供することにある。
【課題を解決するための手段】
【０００６】
本発明は、ブラジャー用洗濯ネットであって、該洗濯ネットは、二つの半球状ネット体が円周縁に設けられ一箇所の連結部で連結されものであり、それぞれの半球状ネット体には、その円周縁の連結部を開閉口端とするファスナーが取付けられており、該ファスナーを閉じることによって、前記半球状ネット体が合体して球状ネット体を形成できるようになっており、かつ、それぞれの該半球状ネット体には、それをほぼ二分し半球状の形態を維持するための弓形又は半リング状のはり部材が、前記連結部を起点とした位置に設けられており、更に、それぞれの該半球状ネット体の内部には、ブラジャーを挟み込み固定するためのベルトが装着されていることを特徴とするブラジャー用洗濯ネットである。
【０００７】
前記本発明のブラジャー用洗濯ネットにおいては、前記弓形又は半リング状のはり部材が、浮きとしての性質を有する部材から構成されているのが好ましい。また、前記半球状ネット体の内部に装着されているベルトは、ネット部材から構成されているものが好ましい。更に、本発明においては、前記半球状ネット体の円周縁に、ほぼ円形の円周形態を保持するための支持部材が配置されているものが好ましい。更に、前記半球状ネット体の円周縁に取付けられたファスナーの閉口端には、ファスナーのスライダー（引き手を含む）の収納部を設けるのも好ましい。
【発明の効果】
【０００８】
本発明のブラジャー用洗濯ネットの半球状ネット体の内部には、ブラジャーを挟み込み固定するためのベルトが装着されているので、ブラジャーの洗濯に際し、ブラジャーのカップ等の型崩れを起こすことなく洗濯ができると共に、ブラジャーのねじれや片寄りを防ぎ、形を整えてソフトに洗うことができる。また、半球状ネットの形態を維持するための弓形又は半リング状のはり部材は、洗濯時、周囲の衣類の衝撃から中のブラジャーをガードする役割を有する。更に、弓形又は半リング状のはり部材として浮き部材を用いると、洗濯機の中で、洗濯ネットが他の衣類に巻き込まれることなく洗うことができる。
【図面の簡単な説明】
【０００９】
【図１】球状ネット体を形成した本発明のブラジャー用洗濯ネットの斜視図である。
【図２】図１の球状ネット体を側面から見た状態を示す図である。
【図３】球状ネット体のファスナーを開き、連結された二つの半球状ネット体を形成した本発明のブラジャー用洗濯ネットを示す図である。
【図４】図３の半球状ネット体にブラジャーを挟み込み固定した状態を示す図である。
【図５】本発明を応用した片寄り防止用洗濯ネットを示す図である。
【発明を実施するための形態】
【００１０】
ブラジャーは基本的に、左右の乳房を支えるためのお椀の形をした二つのカップと、この二つのカップを結び、更に背中まで回りカップが外れないように固定するためのベルトと、ブラジャー全体を肩から吊るし支えるための肩紐とも呼ばれるストラップと、ベルトをつなぐためのホックから構成されている。そして、本発明のブラジャー用洗濯ネットは、先ず、球状ネット体のファスナーを開き、二つの半球状ネット体の連結体とし、それぞれの半球状ネット体の内部に取付けられているベルト（前記ブラジャーのベルトとは異なる）と半球状ネット体のネットとの間に、洗濯しようとするブラジャーのカップをそれぞれ挟み込み固定する。そして、通常、カップ以外の部分はフリーな状態で、ファスナーを閉じることによって、半球状ネット体を合体させファスナーを閉じ、ブラジャーが収納された球状ネット体とする。その後、この洗濯ネットを洗濯機の中に入れ、他の衣類と一緒に洗濯するものである。
【００１１】
本発明の洗濯ネットは、二つの半球状ネット体が円周縁に設けられ一箇所の連結部で連結されものであり、それぞれの半球状ネット体には、その円周縁の連結部を開閉口端とするファスナーが取付けられており、該ファスナーを閉じることによって、前記半球状ネット体が合体して球状ネット体を形成できるようになっており、かつ、それぞれの該半球状ネット体には、それをほぼ二分し半球状の形態を維持するための弓形又は半リング状のはり部材が、前記連結部を起点とした位置に設けられており、更に、それぞれの該半球状ネット体の内部には、ブラジャーを挟み込み固定するためのベルトが装着されているものである。本発明において球状ネット体とは、ボール様の真球形状のものだけでなく、断面が楕円形のラグビーボール様のものも含む。
【００１２】
以下、図面を用いて本発明を詳述する。図１は、球状ネット体を形成した本発明のブラジャー用洗濯ネットの斜視図である。図２は、図１の球状ネット体を側面から見た状態を示す図である。図３は、球状ネット体のファスナーを開き、連結された二つの半球状ネット体を形成した本発明のブラジャー用洗濯ネットを示す図である。図１〜３において、１はネット部材、２はファスナー、３は半球状の形態を維持するための弓形又は半リング状のはり部材、４は半球状ネット体の円周縁に設けられた連結部、５はファスナーのスライダー（引き手を含む）、６はブラジャーを挟み込み固定するためのベルトである。
【００１３】
図３から分かるように、二つの半球状ネット体の円周縁（半球断面の円周に沿った部分）には、半球を連結するための連結部４が設けられている。連結部の形状・材質は特に限定されるものではないが、通常、伸縮性のあるテープ状のものを円周縁に縫い付けて二つの半球体を連結すればよい。また、それぞれの半球状ネット体には、その円周縁の連結部を開閉口端とするファスナー２が取付けられている。ファスナーのスライダー（引き手を含む）は、図１の状態では、収納部（図示せず）に収納されるようになっている。それによって、洗濯機で洗濯中に、スライダーが他の衣類を傷つけたりすることがないようになっている。
【００１４】
図２から分かるように、それぞれの半球状ネット体には、それをほぼ二分し半球状の形態を維持するための弓形又は半リング状のはり部材３が、前記連結部４を起点とした位置に設けられている。弓形又は半リング状のはり部材は、半球状の形態を維持し内部に収納されたブラジャーを保護すると共に、球状ネット体が洗濯中に受ける衝撃を和らげる作用を有している。その形状や材質は特に制限されるものではないが、部材としては、浮きとしての性質を有する部材、例えば、発泡ポリウレタン、発泡ポリエチレン、発泡ポリスチレンが好ましく、これらの棒状部材を筒状の布帛で覆ったような形態のものが適当である。かかる弓形又は半リング状のはり部材は、半球状ネット体の表面又は裏面に、接着又は縫い付けて取り付けられる。
【００１５】
図３から分かるように、それぞれの半球状ネット体には、その円周縁の連結部４を開閉口端とするファスナー２が取付けられている。この２ファスナーは、スライダー５を引っ張ることによって閉口し、半球状ネット体が合体して図１に示したような球状ネット体を形成するようになっている。半球状ネット体の円周縁にファスナーを取付けるに際しては、
円周縁に、ほぼ円形（楕円形も含む）の円周形態を保持するための支持部材を配置するのが好ましい。かかる支持部材の材質は特に制限されるものではないが、金属又はプラスチック製の針金状のものを筒状の布帛で覆ったような形態のものが適当である。ファスナーをかかる支持部材に沿って取り付けると、ファスナーの開閉がスムースにできるという利点もある。
【００１６】
前述したように、本発明においては、それぞれの半球状ネット体には、その円周縁の連結部を開閉口端とするファスナー２が取付けられており、また、半球状ネット体をほぼ二分し半球状の形態を維持するための弓形又は半リング状のはり部材３が、前記連結部を起点とした位置に設けられているが、かかる状態は、図１の球状ネット体を側面から見た状態を示す図２によって表される。図２から明らかなように、弓形又は半リング状のはり部材３とファスナー２は、それぞれの形成する面がほぼ直交するように配置され、全体として球状体を形成している。
【００１７】
図３において、６は半球状ネット体の内部に装着又は設けられた、ブラジャーを挟み込み固定するためのベルトである。このベルト６とネット部材１の間に、洗濯しようとするブラジャーのカップをそれぞれ挟み込み固定する。ベルト６は、ブラジャーのカップを挟み込み固定することができるものであれば、特に形状や材質は制限されるものではないが、ネット部材の両端を伸縮性のあるテープ状布帛でほつれ止めしたような形態のベルトが適当である。
【００１８】
図４は、球状ネット体のファスナーを開き、図３に示したような連結された二つの半球状ネット体とした状態のものに、洗濯しようとするブラジャーのカップをそれぞれ挟み込み固定した様子を示している。カップ以外の部分はフリーな状態にしたままでも、あるいは、一部を折り返してベルトに挟み込んでもよい。そして、ファスナーを閉じることによって、半球状ネット体を合体させ、ブラジャーが収納された図１のような球状ネット体とする。
【００１９】
本発明のブラジャー用洗濯ネットのネット部材１の材質とネットの形状は特に制限されるものではなく、通常の洗濯ネットに使用されるものと同様な素材やネットの形状を使用することができる。例えば、ポリエステル、ナイロン、ポリプロピレンのような軽くて、耐久性のある材料を通気性のある網状体に形成したものが適当である。ファスナーの材質、形状、取り付け方等も特に制限されるものではない。本発明の洗濯ネットとしては、ファスナーの閉口端に、ファスナーのスライダー（引き手も含む）の収納部を設けるのが好ましい。収納部としては、通常、伸縮性のある布帛製で、スライダーを押し込んで固定できる大きさのものが適当である。
【００２０】
以上詳述したような本発明の洗濯ネットは、洗濯時に球状の通気性又は通水性のネット体を形成しているので、洗剤やすすぎ水が洗濯ネット内のブラジャー全体に行き渡り、洗濯ネットの存在によって洗浄やすすぎが阻害されることはない。また、乾燥段階でも同様に温風や熱風がブラジャー全体に行き渡るため、乾燥が阻害されることがない。本発明の洗濯ネットの大きさは、特に制限されるものではないが、通常、市販されているブラジャーを洗濯できる程度の大きさであれば十分である。そして、洗濯後は、洗濯ネットは折りたたんで平にすることはできるので、収納保管するのにも便利である。
【００２１】
本発明の洗濯ネットは、ブラジャーの洗濯を目的とするものであるが、ネット体の内部に洗濯物を挟み込み固定するためのベルト又は帯状のネットを装着するというアイデアを拡張すると、例えば、図５に示したような片寄り防止用洗濯ネット１０に応用することができる。図５において、１１はほぼ矩形のネット部材であり、１２は洗濯物を挟み込み固定するためのネット部材に装着されたベルト（図３で説明したものと同様のもの）又は帯状のネットである。前記ほぼ矩形のネット部材の周囲にはファスナー１３が取付けられており、ファスナー１３を全部開いた状態で洗濯物を入れ、ベルト１２で挟み込み固定し、次いで、矩形のネット部材のほぼ中央部分（図の破線で示した部分）で二つに折り畳みファスナーを閉じることによって袋状のネット部材２０が得られる。これを洗濯機に入れて洗濯すると、衣類（洗濯物）の片寄りを防ぐことができるので、しわや型崩れを防止することができる。
【符号の説明】
【００２２】
１  ネット部材
２  ファスナー
３  弓形又は半リング状のはり部材
４  連結部
５  ファスナーのスライダー
６  ベルト
【図１】
2011036487.tif 000003
【図２】
2011036487.tif 000004
【図３】
2011036487.tif 000005
【図４】
2011036487.tif 000006
【図５】
2011036487.tif 000007